(57)【要約】【課題】  本発明の目的は、接続ケーブルの先端を容易に発見することができ、ケーブルの断線を容易に検知することができ、携帯性に優れ、ペンライトとしても使用できるケーブルテスターを提供することにある。【解決手段】  本発明のケーブルテスターは、ペン型形状の外筒１と、外筒１の先端部に配置された発光体２と、外筒１の後端部に配置されたコネクタ部３と、外筒１の内部に配置され電池４を収納する内筒５と、を備え、発光体２はプラス側の端子２ａ及びマイナス側の端子２ｂを有し、コネクタ部３は、ケーブルの芯線に接続される芯部３ａと、芯部３ａを絶縁された状態で囲う外殻部３ｂとを有し、プラス側の端子２ａは電池４を経由して芯部３ａと導通可能に接続され、マイナス側の端子２ｂは外殻部３ｂと導通可能に接続されている。【選択図】  図１
2005274319.tif 000002
【特許請求の範囲】
【請求項１】
ケーブルの一端に接続して該ケーブルの導通確認を行うケーブルテスターであって、
ペン型形状をなし、内部に電池を収納する外筒と、
該外筒の先端部に配置された発光体と、
前記外筒の後端部に配置された前記ケーブルと嵌合可能なコネクタと、
を備え、
前記発光体は、プラス側及びマイナス側の端子を有し、
前記コネクタは、前記ケーブルの芯線に接続される芯部と、該芯部を絶縁された状態で囲う外殻部とを有し、前記端子の一方は前記電池を経由して前記芯部と導通可能に接続され、前記端子の他方は前記外殻部と導通可能に接続されている、ことを特徴とするケーブルテスター。
【請求項２】
前記コネクタに対して着脱可能に嵌合されるキャップを有し、
前記キャップは、前記コネクタに嵌合された状態において、前記芯部と前記外殻部とをショートさせる接続部を備えることを特徴とする請求項１に記載のケーブルテスター。
【請求項３】
前記キャップを前記コネクタに接続した状態で回動させることによって、ショートのＯＮ／ＯＦＦを切り替えることを特徴とする請求項２に記載のケーブルテスター。
【請求項４】
前記キャップは、前記ケーブルに対して着脱可能に嵌合されるショート手段を有し、
前記ショート手段は、前記ケーブルに嵌合された状態において、該ケーブルをショートさせることを特徴とする請求項２又は３に記載のケーブルテスター。
【請求項５】
前記キャップの接続部とショート手段との間に、所望の形状の装飾を施した連結部を有することを特徴とする請求項４に記載のケーブルテスター。
【請求項６】
電気が導通すると発光体が点灯するケーブルテスター本体と、該ケーブルテスターに着脱可能かつ導通可能なキャップとを備えたケーブルテスターの使用方法であって、
所望の被検知ケーブルの一端に前記キャップを装着することによって該被検知ケーブルをショートさせ、
前記被検知ケーブルの他端に前記ケーブルテスター本体を接続し、
前記ケーブルテスター本体の点灯状態によって該被検知ケーブルの導通状態を検知する
ことを特徴とするケーブルテスターの使用方法。
【請求項７】
前記ケーブルテスターは、前記ケーブルテスター本体に前記キャップを装着することによって、前記発光体に電気を導通させることを特徴とする請求項６に記載のケーブルテスターの使用方法。
【発明の詳細な説明】
【技術分野】
【０００１】
本発明は、無線・ビデオ機器・通信機機等に用いられる接続ケーブルの先端を発見したり、断線を検知したりするケーブルテスターに係り、特に携帯性に優れ、ペンライトとしても使用できるケーブルテスター及びその使用方法に関する。
【背景技術】
【０００２】
無線・ビデオ機器・通信機機等に用いられる接続ケーブルには、ＢＮＣケーブルがよく使用されている。ＢＮＣケーブルは、バヨネット・ロックと呼ばれるロック方式を採用したＢＮＣコネクタを端子とする同軸ケーブルである。ＢＮＣコネクタは、嵌め込み部分を９０度回転させることによりロックすることができ、高周波特性が良く、場所をとらないというメリットがある。なお、一般に、ＢＮＣケーブルに接続されるＢＮＣコネクタには、オス型ＢＮＣコネクタが採用されている。
【０００３】
また、同軸ケーブルは、同軸ケーブル芯線（主に銅線）をポリエチレンなどの絶縁／緩衝材で包み、その外側に編んだ導線による網状のシールド層を施し、さらにその外側に塩化ビニールなどによる被覆を施した多重構造のケーブルである。シールド層によって外界からの電磁波の影響を抑えて信号を伝達することができるため、高性能な周波数特性、減衰特性、耐環境特性を有し、主に高周波回路で使用される。かかるＢＮＣケーブルは、映像信号の品質が優れているためテレビスタジオ等の業務用接続ケーブルとしてよく利用されている。
【０００４】
このようなケーブルの使用現場では、ケーブル内部での断線等が発生し、通電ができないものが混ざることがあり、その確認の作業を行う必要がある。この通電確認のための技術としては、例えば特許文献１に開示されたものがある。この特許文献１に開示された技術では、測定装置に備えられたクリップをケーブル両側の端子及び大地側に接続し、測定装置のテスターにより導通状態を測定する。
【０００５】
テレビスタジオ等では複数のカメラを使用し、各カメラの映像をミキサーやスイッチャーを経由させて複数のモニターやＣＲＴに表示させている。したがって、１つの映像信号を複数に分配させる必要があり、ＢＮＣケーブルの数は数十本にも及ぶ。さらに、複数のケーブルが密集しているため、チャンネルを合わせて正確に接続することが困難である。そこで、現場では、ケーブルの両端に番号を記入した札を付し、二人がかりで番号を声合わせしながら接続するのが一般的である。
【特許文献１】特開平１０−１７０５７１号公報
【発明の開示】
【発明が解決しようとする課題】
【０００６】
しかしながら、上述した特許文献１に開示された技術では、装置が複雑であり、携帯性に乏しく、また、ケーブルの両側端子及び大地側に設置するなど検査までのセッティングが煩雑であり、簡易的な検査が困難であるという問題がある。
【０００７】
特に、ケーブルの本数が多く、密集している現場では、一方の先端と同じ番号の札を付したケーブルの他端を探し出しながら導通検査を行わなければならないことから、携帯性に乏しい装置では、現場作業の実情に合わないという問題がある。
【０００８】
本発明は、かかる課題に鑑みてなされたもので、接続ケーブルの先端を容易に発見することができ、ケーブルの導通を容易に検知することができ、携帯性に優れ、ペンライトとしても使用できる現場作業のニーズに即したケーブルテスター及びその使用方法を提供するものである。
【課題を解決するための手段】
【０００９】
上記課題を解決するために、本発明は、ケーブルの一端に接続して該ケーブルの導通確認を行うケーブルテスターであって、ペン型形状をなし電池を収納する外筒と、該外筒の先端部に配置された発光体と、前記外筒の後端部に配置された前記ケーブルと嵌合可能なコネクタとを備える。
【００１０】
そして、前記発光体は、プラス側及びマイナス側の端子を有し、前記コネクタは、前記ケーブルの芯線に接続される芯部と、該芯部を絶縁された状態で囲う外殻部とを有し、前記端子の一方は前記電池を経由して前記芯部と導通可能に接続され、前記端子の他方は前記外殻部と導通可能に接続されている。なお、このケーブルテスターの後端部に配置されたコネクタは、メス型のＢＮＣコネクタであることが好ましい。
【００１１】
また、本発明では、前記コネクタと嵌合して前記芯部と前記外殻部とをショートさせる接続部を備えたキャップを有することが好ましい。このキャップをケーブルテスターのコネクタに接続した状態で回動させることによって、ショートのＯＮ／ＯＦＦを切り替えることができる。なお、前記接続部は、オス型のＢＮＣコネクタの両端子を接続した形態であり、回動による上下動によって、芯部に対する接触、非接触を切り替えるスイッチ構造とすることが好ましい。
【００１２】
さらに、前記キャップは、前記ケーブルと嵌合可能なショート手段を有していてもよく、該ショート手段は、メス型のＢＮＣコネクタの両電極をショートさせた形態とすることができる。これにより、キャップを取り外した状態のケーブルテスター本体のコネクタをケーブルの一端に接続し、取り外したキャップのショート手段をケーブルの他端に嵌合させることにより、簡易的にケーブルの導通検査を行うことができる。
【００１３】
なお、通常にあっては、キャップの接続部をケーブルテスター本体のコネクタに嵌合させることにより、一体化させ携帯性を向上させることができるとともに、キャップをペンライトのスイッチとして機能させることができる。また、前記キャップの接続部とショート手段との間に、所望の形状（例えば、キャラクタ形状）の装飾を施した連結部を有していてもよい。
【００１４】
また、他の発明は、電気が導通すると発光体が点灯するケーブルテスター本体と、該ケーブルテスターに着脱可能かつ導通可能なキャップとを備えたケーブルテスターの使用方法であって、所望の被検知ケーブルの一端に前記キャップを装着することによって該被検知ケーブルをショートさせ、該被検知ケーブルの他端に前記ケーブルテスター本体を接続し、該ケーブルテスター本体の点灯状態によって前記被検知ケーブルの先端を発見又は断線を検知するものである。
【００１５】
また、このケーブルテスターは、前記ケーブルテスター本体に前記キャップを装着し、前記発光体に電気を導通させることによってペンライトとして使用することもできる。
【発明の効果】
【００１６】
本発明のケーブルテスター及びその使用方法によれば、接続ケーブルが混在した現場において接続ケーブルの先端を容易に発見することができる、接続ケーブルの断線を容易に検知することができる、携帯性に優れ持ち運びが容易である、現場以外の場所においてもペンライトとして使用することができ利便性に優れる、等の優れた効果を奏し、現場作業のニーズに的確に応えることができる。
【発明を実施するための最良の形態】
【００１７】
以下、本発明の最良の実施形態について図１乃至図５を参照して説明する。図１は、本実施形態のケーブルテスターの構造を示す図であり、（ａ）は縦断面図、（ｂ）は（ａ）中におけるＡ−Ａ面図である。
【００１８】
図１（ａ）に示すように、本実施形態のケーブルテスターは、ペン型形状の外筒１と、外筒１の先端部に配置された発光体２と、外筒１の後端部に配置されたコネクタ部３と、外筒１の内部に配置され電池４を収納する内筒５と、を備え、発光体２はプラス側の端子２ａ及びマイナス側の端子２ｂを有し、コネクタ部３は、ケーブルの芯線に接続される芯部３ａと、芯部３ａを絶縁された状態で囲う外殻部３ｂとを有し、プラス側の端子２ａは電池４を経由して芯部３ａと導通可能に接続され、マイナス側の端子２ｂは外殻部３ｂと導通可能に接続されている。
【００１９】
図１（ａ）及び（ｂ）に示すように、外筒１には、先端が先細ったペン型形状の金属材が使用され、その頂部には発光体２の一部が露出する孔１ａが穿設されている。ケーブルテスターの軽量化を図るために、金属材に代えてプラスチック材を使用してもよい。また、図示しないが、外筒１の頂部に光を透過するカバーを設け、発光体２の全体を外筒１の内部に固定するようにしてもよい。このとき、外筒１の先端は先細っていてもよいし、先細りしていなくてもよい。すなわち、ペン型形状とは、必ずしも先端が先細った形状に限られるものではない。さらに、胸差し用のクリップを外筒１の外周に設けてもよい。
【００２０】
この外筒１には、上述したように、発光体２及び内筒５が内蔵されている。発光体２は、豆電球、特殊小型電球、発光ダイオード等種々のものを利用することができる。内筒５は絶縁性を有するプラスチック材からなり、先端には金属板５ａが固着されている。金属板５ａは内筒５に接着されていてもよいし、内筒５に形成された溝に挿し込むようにして固定されていてもよい。
【００２１】
この金属板５ａには、発光体２のプラス側の端子２ａがはんだ付けされる。電池４を内筒５に装着すると電池４のプラス側が金属板５ａと接触するようになっている。電池４としては、サイズ的に単三形乾電池が最適であるが、単四形乾電池やボタン型電池を使用することもできる。電池の種類としては、市販されているアルカリ乾電池が好ましく、マンガン乾電池やリチウム乾電池を使用することも可能である。
【００２２】
図１（ａ）では、二本の単三形アルカリ乾電池を使用している。乾電池のマイナス側には導電性を有するスプリング５ｂが装着され、後述するコネクタ部３の端部によって押し込まれている。このスプリング５ｂの弾性力によって電池４を内筒５内に固定するとともに、スプリング５ｂが電池４とコネクタ部３に接触することによって電気を導通することができる状態になっている。
【００２３】
さらに、外筒１と内筒５との間には、発光体２のマイナス側の端子２ｂとコネクタ部３の外殻部３ｂとを導通させるためのＬ字形金属板５ｃが挿入されている。このＬ字形金属板５ｃは、外筒１の内周の一部に形成された溝１ｂに挿入されて固定される。このＬ字形金属板５ｃには、発光体２のマイナス側の端子２ｂがはんだ付けされる。
【００２４】
図１（ｂ）に示すように、外筒１には発光体２用の孔１ａが穿設され、外筒１と孔１ａとの内径の差によって段差部１ｃ，１ｄを形成している。段差部１ｃによって内筒５の軸方向の位置決めをし、段差部１ｄによってＬ字形金属板５ｃの軸方向の位置決めをしている。
【００２５】
図１（ａ）に示すように、コネクタ部３は、いわゆるメス型ＢＮＣコネクタとほぼ同じ構造をしている。これは、業務用の接続ケーブルには、両端にオス型ＢＮＣコネクタを配置したＢＮＣケーブルが一般に使用されているからである。このコネクタ部３は、上述した芯部３ａと外殻部３ｂとの他に、芯部３ａと外殻部３ｂとの間を絶縁する絶縁材３ｃと、外殻部３ｂの外周に設置された凸部３ｄとを有する。このコネクタ部３は、ケーブルテスターの端部に溶接や接着剤によって固着されていてもよいし、ネジ切をして着脱可能に構成されていてもよい。着脱可能にした場合には、電池４や発光体２の交換を容易に行うことができる。もちろん、外筒１の一部をネジ切して分離・結合できるように構成して、電池４や発光体２の交換を行うようにしてもよい。
【００２６】
ここで、図２を参照して、オス型ＢＮＣコネクタ２２の構造について説明する。オス型ＢＮＣコネクタ２２は、ケーブルの芯線に接続される芯棒２３と、芯棒２３を絶縁された状態で囲う内殻部２４と、内殻部２４と同軸に配置された外殻部２５とを有する。詳細は図示しないが、バヨネット・ロック方式のＢＮＣコネクタを採用しているため、内殻部２４は外側に向かって常に付勢された状態となっている。また、外殻部２５の外周にはメス型ＢＮＣコネクタの凸部が挿通される溝２５ａが形成されている。メス型ＢＮＣコネクタを回動させると、その凸部は溝２５ａに沿って移動し、メス型ＢＮＣコネクタは軸方向に移動する。溝２５ａの終点は拡径した状態に形成されており、内殻部２４の付勢力によってメス型ＢＮＣコネクタは外側に押し出され、凸部が溝２５ａに係止するようになっている。
【００２７】
次に、図２を参照して、図１に示したケーブルテスターの使用方法を説明する。まず、接続ケーブル２６の一端を、ショート手段であるターミネータ２７を用いてショートさせる。ここで、接続ケーブル２６は同軸ケーブルであり、芯線とシールド層とを短絡させることによってショートさせることができる。
【００２８】
次に、ケーブルテスター本体２１を接続ケーブル２６に接続する。このときケーブルテスター本体２１の端部に設けられたコネクタ部３の凸部３ｄを、接続ケーブル２６の端部に設けられたオス型ＢＮＣコネクタ２２の溝２５ａに挿通させ、溝２５ａに沿ってケーブルテスター本体２１を回動させながら嵌め込む。凸部３ｄが溝２５ａの終点まで到達してロックされたらケーブルテスター本体２１と接続ケーブル２６の接続が完了である。そして、ケーブルテスター本体２１の発光体２が点灯すると、ショートさせた接続ケーブル２６の他端部にケーブルテスター本体２１が正確に接続されたこと、及び接続ケーブル２６が断線していないことを判断することができる。
【００２９】
続いて、図３を用いてケーブルテスターのキャップについて説明する。図３（ａ）はキャップの一実施形態を示す図である。
【００３０】
図３（ａ）に示したキャップ３１は、ケーブルテスターのコネクタ部３と嵌合して、芯部３ａと外殻部３ｂをショートさせる接続部３２を備えたものである。接続部３２は、オス型ＢＮＣコネクタと同様の構造をしており、具体的には、導電性を有する芯棒３２ａと、芯棒３２ａと導通可能な状態で囲う内殻部３２ｂと、内殻部３２ｂと同軸に配置された外殻部３２ｃとを有する。
【００３１】
本実施形態では、バヨネット・ロック方式のＢＮＣコネクタを採用しているため、内殻部３２ｂは外側に向かって常に付勢された状態となっている。また、外殻部３２ｃの外周にはコネクタ部３の凸部３ｄが挿通される溝３２ｄが形成されている。キャップ３１を回動させると、その凸部３ｄは溝３２ｄに沿って移動し、キャップ３１は軸方向に移動する。溝３２ｄの終点は拡径した状態に形成されており、内殻部３２ｂの付勢力によってコネクタ部３は外側に押し出され、凸部３ｄが溝３２ｄに係止するようになっている。この構造は、ケーブルテスターの芯部３ａと外殻部３ｂとを短絡させるための構造である。
【００３２】
したがって、このキャップ３１をケーブルテスターのコネクタ部３に嵌合させることによって、芯部３ａと外殻部３ｂとの間に電気を導通させることができ、発光体２を点灯させることができる。すなわち、このケーブルテスターをペンライトとして使用したい場合には、キャップ３１をケーブルテスターのコネクタ部３に嵌合させればよい。
【００３３】
なお、ここでは、キャップ３１の接続部３２をコネクタ部３に嵌合させるのみで発光体２を点灯させるようにしたが、例えば、芯棒３２ａを短く形成し、単に接続部３２ａをコネクタ部３に嵌合させたのみでは、芯棒３２ａがケーブルテスター側の芯部３ａに接触しないように構成してもよい。この場合には、キャップ３１を回動させ、溝３２ｄと凸部３ｄの構成によってキャップ３１が軸方向に移動したとき初めて、芯棒３２ａが芯部３ａに接触し、芯部３ａと外殻部３ｂとの間に電気を導通させ、発光体２を点灯させるようにしてもよい。
【００３４】
図３（ｂ）はキャップ３１の第二の実施形態を示す図である。基本的な構造は図３（ａ）に示したものと同様である。異なる点は、溝３２ｄの途中に拡径したストッパ部３２ｅを形成した点である。このように溝３２ｄの途中にストッパ部３２ｅを設けることによって、ケーブルテスターとキャップ３１との距離を２段階に分けることができる。
【００３５】
すなわち、キャップ３１をストッパ部３２ｅで係止させた場合には、ケーブルテスターの芯部３ａとキャップ３１の芯棒３２ａとが接触しない状態に維持することができる。そして、キャップ３１をさらに回動させ、溝３２ｄの終点まで凸部３ｄを移動させて係止させた場合には、ケーブルテスターの芯部３ａとキャップ３１の芯棒３２ａとが接触した状態となり、ケーブルテスターをショートさせることができる。
【００３６】
したがって、キャップ３１をケーブルテスターのコネクタ部３に接続した状態で回動させることによって、ショートのＯＮ／ＯＦＦを切り替えるスイッチとして用いることができる。また、このストッパ部３２ｅを設けることによって、キャップ３１を常にケーブルテスターに嵌めておくことができ、キャップ３１の脱落を防止することができることから、キャップ３１を紛失するおそれがなく、またキャップ３１を回動させるだけでペンライトとしてすぐに利用することができる等の利便性を向上させることができる。
【００３７】
図３（ｃ）はキャップ３１の第三の実施形態を示す図である。図３（ｃ）に示したキャップ３１は、図３（ｂ）に示したキャップに接続ケーブル２６をショートさせるショート手段としてのターミネータ３３を付設したものである。
【００３８】
具体的には、メス型ＢＮＣコネクタと同様の構造をしており、接続ケーブルの芯線に接続される芯部３３ａと、芯部３３ａを囲う外殻部３３ｂと、芯部３３ａと外殻部３３ｂとの間を導通可能に連結する金属板３３ｃと、外殻部３３ｂの外周に設置された凸部３３ｄとを有する。このように芯部３３ａと外殻部３３ｂとの間に金属板３３ｃを設けたことにより、キャップ３１を接続ケーブルに嵌めることによってショートさせることができる。
【００３９】
このようなターミネータ３３を備えたキャップ３１によれば、通常時は、ケーブルテスター本体にキャップ３１を嵌合させ、キャップ３１を、ケーブルテスターをペンライトとして使用する際のスイッチとして用い、導通検査の際には、キャップ３１のターミネータ３３を、接続ケーブル２６の他端におけるショート手段として用いる。したがって、図３（ｃ）に示したキャップ３１は、ペンライトのスイッチとして機能するだけでなく、ケーブルテスト時のターミネータとしても使用することができる。
【００４０】
図３（ｄ）はキャップ３１の第四の実施形態を示す図である。基本的な構造は図３（ｃ）に示したものと同様である。異なる点は、接続部３２とターミネータ３３との間にキャラクタ形状をした装飾部３４を設けた点である。このような装飾部３４を設けることによって、ケーブルテスターに愛着を持たせることができ、また購買意欲を高めたりすることができる。この装飾部３４は予め溶接や接着剤によって固着されていてもよいし、着脱可能に構成して自分の好みに合った形状のものに交換できるようにしてもよい。
【００４１】
次に、図４及び図５を参照して、図１に示したケーブルテスターと図３（ｃ）に示したキャップの使用方法を説明する。ここで、図４はケーブルテスターとしての使用方法を示す図であり、図５はペンライトとしての使用方法を示す図である。
【００４２】
（１）ケーブルテスターとしての使用方法
キャップ３１をケーブルテスター本体２１から取り外し、接続ケーブル２６の一端にキャップ３１のターミネータ３３側を接続して、接続ケーブル２６をショートさせる。ここで、接続ケーブル２６は同軸ケーブルであり、芯線とシールド層とを短絡させることによってショートさせることができる。
【００４３】
次に、ケーブルテスター本体２１を接続ケーブル２６の他端に接続する。このときケーブルテスター本体２１の端部に設けられたコネクタ部３の凸部３ｄを、接続ケーブル２６の端部に設けられたＢＮＣコネクタ２２の溝２５ａに挿通させ、溝２５ａに沿ってケーブルテスター本体２１を回動させながら嵌め込む。凸部３ｄが溝２５ａの終点まで到達してロックされたらケーブルテスター本体２１と接続ケーブル２６の接続が完了である。そして、ケーブルテスター本体２１の発光体２が点灯すると、ショートさせた接続ケーブルの他端部にケーブルテスター本体２１が正確に接続されたこと、及び接続ケーブル２６が断線していないことを判断することができる。
【００４４】
（２）ペンライトとしての使用方法
図５（ａ）は消灯状態、図５（ｂ）は点灯状態を示している。キャップ３１の接続部３２側をケーブルテスター本体２１のコネクタ部３に嵌合させる。発光体２を点灯させないときは、図５（ａ）に示すように、コネクタ部３の凸部３ｄをストッパ部３２ｅに係止させておく。この状態にしておけば、ケーブルテスターの芯部３ａとキャップ３１の芯棒３２ａとが接触することがなく、発光体２に電気が流れることはない。
【００４５】
次に、発光体２を点灯させたいときは、キャップ３１を回動させて、図５（ｂ）に示すように、コネクタ部３の凸部３ｄが溝３２ｄの終点まで到達させる。そうすることによって、ケーブルテスターの芯部３ａとキャップ３１の芯棒３２ａとを接触した状態に維持することができ、発光体２に電気を流すことができる。
【００４６】
上述した本発明のケーブルテスター及びその使用方法によれば、ケーブルテスターの点灯の有無によって、接続ケーブルが混在した現場において接続ケーブルの先端を容易に発見することができる、接続ケーブルの断線を容易に検知することができる、携帯性に優れ、持ち運びが容易である、現場以外の場所においてもペンライトとして使用することができる等の優れた効果を奏する。
【図面の簡単な説明】
【００４７】
【図１】本実施形態に係るケーブルテスターの構造を示す図であり、（ａ）は縦断面図、（ｂ）は外筒の横断面図である。
【図２】本実施形態に係るケーブルテスターの使用方法を示した図である。
【図３】本実施形態に係るケーブルテスターのキャップの構造を示す図であり、（ａ）は第一の実施形態、（ｂ）は第二の実施形態、（ｃ）は第三の実施形態、（ｄ）は第四の実施形態を示す。
【図４】本実施形態に係るケーブルテスターと第三の実施形態に係るキャップをケーブルテスターとして使用する方法を示す図である。
【図５】本実施形態に係るケーブルテスターと第三の実施形態に係るキャップをペンライトとして使用する方法を示す図であり、（ａ）は消灯状態、（ｂ）は点灯状態を示す。
【符号の説明】
【００４８】
１…外筒、１ａ…孔、１ｂ…溝、１ｃ…段差部、１ｄ…段差部、２…発光体、２ａ…プラス側の端子、２ｂ…マイナス側の端子、３…コネクタ部、３ａ…芯部、３ｂ…外殻部、３ｃ…絶縁材、３ｄ…凸部、４…電池、５…内筒、５ａ…金属板、５ｂ…スプリング、５ｃ…Ｌ字形金属板、２１…ケーブルテスター本体、２２…オス型ＢＮＣコネクタ、２３…芯棒、２４…内殻部、２５…外殻部、２５ａ…溝、２６…接続ケーブル、２７…ターミネータ、３１…キャップ、３２…接続部、３２ａ…芯棒、３２ｂ…内殻部、３２ｃ…外殻部、３２ｄ…溝、３２ｅ…ストッパ部、３３…ターミネータ（ショート手段）、３３ａ…芯部、３３ｂ…外殻部、３３ｃ…金属板、３３ｄ…凸部、３４…装飾部
【図１】
2005274319.tif 000003
【図２】
2005274319.tif 000004
【図３】
2005274319.tif 000005
【図４】
2005274319.tif 000006
【図５】
2005274319.tif 000007